(57)【要約】【課題】本発明は包装を開けずに商品の鋸に直接手を触れることができ、鋸の購入に際してダイレクトな品選びができる両刃折畳鋸の立体包装の提供を課題とする。【解決手段】中央部分に中空突起を形成したブリスターパックと、該ブリスターパックを表面に冠着した台紙と、前記ブリスターパックの中空突起に載置する両刃折畳鋸の鋸身部と、該鋸身部を纏着する鋸身保護カバーとからなり、前記ブリスターパックは、前記中空突起の平面は前記鋸身部の形状より細巾形成され、前記鋸身保護カバーを纏着した鋸身部を中空突起の上面に載置して結束バンドで締着固定することで、前記両刃折畳鋸の柄部を外部に解放して回動自在にした。【選択図】図１
2013063801.tif 000002
【特許請求の範囲】
【請求項１】
両刃折畳鋸の包装であって、中央部分に中空突起を形成したブリスターパックと、該ブリスターパックを表面に冠着した台紙と、前記ブリスターパックの中空突起に載置する両刃折畳鋸の鋸身部と、該鋸身部を纏着する鋸身保護カバーとからなり、前記ブリスターパックは、前記中空突起の平面は前記鋸身部の形状より細巾形成され、前記鋸身保護カバーを纏着した鋸身部を中空突起の上面に載置して結束バンドで締着固定することで、前記両刃折畳鋸の柄部を外部に解放して回動自在にしたことを特徴とする両刃折畳鋸の立体包装。
【請求項２】
前記ブリスターパックは、前記中空突起の平面に定着窪みと位置決め窪みとを形成したことを特徴とする請求項１に記載の両刃折畳鋸の立体包装。
【請求項３】
前記鋸身保護カバーは、巻三つ折状で前記鋸身部を纏着するように形成され、その右折り片にブリスターパックの前記定着窪みと前記位置決め窪みとに嵌合させる定着突起と位置決め突起とを形成したことを特徴とする請求項１又は２に記載の両刃折畳鋸の立体包装。
【発明の詳細な説明】
【技術分野】
【０００１】  本発明は両刃折畳鋸の立体包装に関する。
【背景技術】
【０００２】  従来、折畳鋸を包装するブリスターパックは、鋸全体を覆うブリスターパックが成型されて密封包装していた。
一方、特開平１０−２０３７１１号公報には、多数巻き重ねられた帯状テープ２を、透明のケース本体３に収納した後、ケース本体３の裏面側に台紙４を重合させてなるブリスターケース１であって、ケース本体３には、略円筒状の収納凹部３１が形成されると共に、この収納凹部３１に連続して導出凹部３２が設けられてなり、使用時には、導出凹部３２を通して帯状テープ２を引き出だせる帯状テープ収納用ブリスターケースが提供されている（特許文献１）。
【先行技術文献】
【特許文献】
【０００３】
【特許文献１】  特開平１０−２０３７１１号公報
【発明の概要】
【発明が解決しようとする課題】
【０００４】  特許文献１に示すブリスターケースの場合、透明のケース本体３に収納した帯状テープ２を引き出だせるようにしたブリスターケースであって、通常、物品をケース本体に密閉すると、物品を取り出したり、手に触れたりすることはケース本体及び包装を開封又は解体しないとできない問題があった。【０００５】  そこで本発明は上記従来技術の問題を解消し、包装を開けずに商品の鋸に直接手を触れることができ、鋸の購入に際してダイレクトな品選びができる両刃折畳鋸の立体包装の提供を課題とする。
【課題を解決するための手段】
【０００６】  上記課題を達成するため本発明の両刃折畳鋸の立体包装は、両刃折畳鋸の包装であって、中央部分に中空突起を形成したブリスターパックと、該ブリスターパックを表面に冠着した台紙と、前記ブリスターパックの中空突起に載置する両刃折畳鋸の鋸身部と、該鋸身部を纏着する鋸身保護カバーとからなり、前記ブリスターパックは、前記中空突起の平面は前記鋸身部の形状より細巾形成され、前記鋸身保護カバーを纏着した鋸身部を中空突起の上面に載置して結束バンドで締着固定することで、前記両刃折畳鋸の柄部を外部に解放して回動自在にしたことを第１の特徴としている。
また本発明の両刃折畳鋸の立体包装は、上記第１の特徴に加えて、前記ブリスターパックは、前記中空突起の平面に定着窪みと位置決め窪みとを形成したことを第２の特徴としている。
また本発明の両刃折畳鋸の立体包装は、上記第２の特徴に加えて、前記鋸身保護カバーは、巻三つ折状で前記鋸身部を纏着するように形成され、その右折り片にブリスターパックの前記定着窪みと前記位置決め窪みとに嵌合させる定着突起と位置決め突起とを形成したことを第３の特徴としている。
【発明の効果】
【０００７】  請求項１に記載の両刃折畳鋸の立体包装によれば、両刃折畳鋸の包装であって、中央部分に中空突起を形成したブリスターパックと、該ブリスターパックを表面に冠着した台紙と、前記ブリスターパックの中空突起に載置する両刃折畳鋸の鋸身部と、該鋸身部を纏着する鋸身保護カバーとからなり、前記ブリスターパックは、前記中空突起の平面は前記鋸身部の形状より細巾形成され、前記鋸身保護カバーを纏着した鋸身部を中空突起の上面に載置して結束バンドで締着固定することで、前記両刃折畳鋸の柄部を外部に解放して回動自在にしたので、
これによって包装を開けて取り除くことなく、折畳鋸の商品を直接手にして自由に収納状態や切断使用時の状態を確認でき、折畳鋸を商品購入の際に、重さやサイズ、使用に当ってのフィット感など、ダイレクトな品選びが出来て便利になる。
そして折畳鋸を取り出す際に台紙を破ることが無くなったので、台紙の裏面を鋸の使用に必要な取り扱い説明書等に使用することができ資材の合理化にもなる。【０００８】  また、請求項２に記載の両刃折畳鋸の立体包装によれば、請求項１に記載の構成による作用効果に加えて、前記ブリスターパックは、前記中空突起の平面に定着窪みと位置決め窪みとを形成したので、前記鋸身保護カバーを纏着した鋸身部を中空突起の上面に載置する際に、前記結束バンドで締着固定し易い一定の位置にスムーズに載置させることができ、包装作業の合理化を図ることが出来る。【０００９】  また、請求項３に記載の両刃折畳鋸の立体包装によれば、請求項１又は２に記載の構成による作用効果に加えて、前記鋸身保護カバーは、巻三つ折状で前記鋸身部を纏着するように形成され、その右折り片にブリスターパックの前記定着窪みと前記位置決め窪みとに嵌合させる定着突起と位置決め突起とを形成したので、前記ブリスターパックの定着窪みと位置決め窪みとに、前記鋸身保護カバーの定着突起と位置決め突起のそれぞれを嵌合し、鋸身保護カバーを纏着した鋸身部をブリスターパックの上面に載置して、台紙に結束バンドを通して締着することで、ブリスターパックと鋸身保護カバーを纏着した鋸身部が嵌着状態で確りとブリスターパックの上面に両刃折畳鋸を固定することができ、柄部は外部に解放されて、回動自在に収納状態や鋸の使用時など柄部を回動することができる。
【図面の簡単な説明】
【００１０】
【図１】本発明の実施形態に係る両刃折畳鋸の立体包装を示す分解斜視図である。
【図２】本発明の実施形態に係る両刃折畳鋸を折り畳み立体包装した状態を示す斜視図である。
【図３】本発明の実施形態に係る両刃折畳鋸の立体包装を示す側面図である。
【図４】本発明の鋸身保護カバーを示す平面図である。
【図５】両刃折畳鋸を折り畳み立体包装した状態から一体の柄部を形成するため回動を表した図である。
【図６】立体包装で装着した後、両刃折畳鋸の柄部を回動し弾性嵌合させて一体の柄部を形成した状態を示す図である。
【発明を実施するための最良の形態】
【００１１】  図１を参照して、本発明の両刃折畳鋸の立体包装は、ブリスターパック１００と、台紙２００と、両刃折畳鋸３００の鋸身部３１０と、鋸身保護カバー４００とからなる。
ブリスターパック１００は、折返し片１０１と、フック掛孔１０２と、通孔１０３と、中央部分に中空突起１１０を形成している。【００１２】  図２を参照して、ブリスターパック１００は、透明でプラスチックを材質とし、台紙２００の裏側となる四方縁側に折返し片１０１を嵌着して、前記台紙２００の表面を覆うように冠着している。
またブリスターパック１００は、上方の中央部分に、陳列の際に利用できるフック掛孔１０２を開けている。
またブリスターパック１００は、鋸身部３１０を後述の結束バンド５００で結束固定するための通孔１０３を開けている。
そしてブリスターパック１００は、平面の中央部分に前記中空突起１１０を形成している。これにより中空突起１１０に鋸身部３１０を載置し結束バンド５００で締着固定することで、両刃折畳鋸３００の柄部３２０、３２０ａが回動自在になるように取り付けられる。【００１３】  図１、図３を参照して、中空突起１１０は、ブリスターパック１００の中央部分に、透明の略長方体で細巾形状１１１の中空状の突起を形成し、その平面１１２に鋸身部３１０を載置することができる。
中空突起１１０は、平面１１２での上方に略小判型の定着窪み１２１と、下方に丸型の位置決め窪み１２２とを形成している。
これによって中空突起１１０の平面１１２に鋸身部３１０を載置しても、略長方体の細巾形状１１１により鋸身部３１０よりはみ出ることがなく、後述の柄部３２０、３２０ａを鋸身部３１０に嵌入してスムーズに折り畳めると共に、前記定着窪み１２１と前記位置決め窪み１２２とを、鋸身保護カバー４００での後述する右折り片４１０に形成した定着突起４１１と位置決め突起４１２とに嵌合して、包装時に載置においてスムーズな位置決めで定着させることができる。【００１４】  図１を参照して、台紙２００は、その材質を厚めのコートボール紙等を用い、ブリスターパック１００と表面を同じ大きさで形成している。これによって台紙２００にブリスターパック１００を
冠着させることができる。
台紙２００は、その裏面には包装している商品の取扱い説明書となる裏面取説面２０１を作成して利用することできる。
台紙２００は、ブリスターパック１００から貫通するフック掛孔２０２を同じ位置に設けている。
また台紙２００は、ブリスターパック１００から貫通する通孔２０３を設けている。
そして台紙２００は、裏面縁側にブリスターパック１００の折返し片１０１が折返されて挿着している。【００１５】  裏面取説面２０１は、台紙２００の裏面を利用して商品の取扱い説明書を印刷できるので、添付資料の合理化ができる。【００１６】  図２、図５を参照して、両刃折畳鋸３００は、鋸身部３１０の下端に弾性体を被覆した対称形状で一対の柄部３２０、３２０ａの一端を取り付けて回動自在に形成される。【００１７】  鋸身部３１０は、長手方向となる上方先端に、結束バンド５００を挿通して締着する締着孔３１１を設けている。
そして鋸身部３１０は、長手方向の下端両側に柄部３２０、３２０ａの先端をボルト３３０とナット３３１で回動自在に取り付けている。【００１８】  図２、図５、図６を参して、柄部３２０、３２０ａは、長手方向で左右対称に形成され、長手方向の先端をボルト３３０とナット３３１で回動自在に取り付けている。
柄部３２０、３２０ａは、鋸の使用時において、収納した状態から左右に開き、更に下方へ回動して柄部３２０の長手方向の下端外側に形成された嵌合突起３２１と、柄部３２０ａの下端外側に形成された嵌合溝３２２とを弾性嵌合することで一体の柄部３２０、３２０ａが完成する。【００１９】  図１、図４を参照して、鋸身保護カバー４００は、右折り片４１０と、左折り片４２０との巻三つ折状４０１に形成され、その材質を透明のブリスターで作成している。
鋸身保護カバー４００は、前記鋸身部３１０の形状に合致させ、該鋸身部３１０を包むように取り付けるカバーを形成している。これにより柄部３２０、３２０ａを回動して鋸身部３１０の収納が出来ると共に、鋸身部３１０が直接、外気に触れず錆び等から保護することができる。
鋸身保護カバー４００は、先端上部に通孔４０２を設け、前記鋸身部３１０の締着孔３１１に結束バンド５００を挿通できるようにしている。【００２０】  右折り片４１０は、上方に略小判型の定着突起４１１と下方に丸型の位置決め突起４１２とを形成している。これによって鋸身保護カバー４００を纏着した鋸身部３１０を前記中空突起１１０に載置する際に、該中空突起１１０の前記定着窪み１１１と前記位置決め窪み１１２とに嵌合させて、包装の際の載置する位置決めがスムーズに行える。【００２１】  左折り片４２０は、上方に略小判型の定着突起挿通孔４２１と下方に丸型の位置決め突起挿通孔４２２とを形成している。これにより鋸身保護カバーを鋸身部に纏着する際に、前記定着突起４１１と前記位置決め突起４１２とを、それぞれの孔に挿通して折り畳むことができる。【００２２】  定着突起４１１と位置決め突起４１２は、前記鋸身保護カバーを纏着した鋸身部を中空突起１１０の上面に載置して、前記中空突起１１０の定着窪み１２１と、位置決め窪み１２２とに嵌合することで、鋸身部が定着して載置される。【００２３】  図１、図３を参照して、結束バンド５００は、その材質をナイロン製として、ブリスターパック１００の上方の通孔１０３と、前記鋸身部３１０を纏着する鋸身保護カバー４００の通孔４０２と、該鋸身部３１０に設けた締着孔３１１と、台紙の通孔２０３とに挿通して締着している。
結束バンド５００は、前記鋸身部３１０の下端の首部に巻着し、ブリスターパック１００の下方の通孔１０３と、台紙の通孔２０３とに挿通して締着している。
これにより結束バンド５００で中空突起１１０に載置した鋸身部３１０を確りと締着するようになるので、鋸身部３１０が固定され前記柄部３２０、３２０ａを自由に回動することができる。
結束バンド５００は、柔軟で丈夫な材質である反面、カッターナイフ或は鋏等で容易に切断して包装を解体することができる。
【符号の説明】
【００２４】  １      両刃折畳鋸の立体包装
１００    ブリスターパック
１０１    折返し片
１０２    フック掛孔
１０３    通孔
１１０    中空突起
１１１    細巾形状
１１２    平面
１２１    定着窪み
１２２    位置決め窪み
２００    台紙
２０１    裏面取説面
２０２    フック掛孔
２０３    通孔
３００    両刃折畳鋸
３１０    鋸身部
３１１    締着孔
３２０    柄部
３２０ａ  柄部
３２１    嵌合突起
３２２    嵌合溝
３３０    ボルト
３３１    ナット
４００    鋸身保護カバー
４０１    巻三つ折状
４０２    通孔
４１０    右折り片
４１１    定着突起
４１２    位置決め突起
４２０    左折り片
４２１    定着突起挿通孔
４２２    位置決め突起挿通孔
５００    結束バンド
Ｔ      回動
【図１】
2013063801.tif 000003
【図２】
2013063801.tif 000004
【図３】
2013063801.tif 000005
【図４】
2013063801.tif 000006
【図５】
2013063801.tif 000007
【図６】
2013063801.tif 000008